(57)【要約】【課題】  エレベータ利用者が乗り降りを許容されていない階床に誤って降車した場合、そのエレベータ利用者を降車した階床から救出する。【解決手段】  エレベータ制御装置は、乗りかご内のエレベータ利用者が携帯するＩＣタグ１からの信号を受信する第１受信部２ａ、２ｂと、エレベータ乗り場に居るエレベータ利用者が携帯するＩＣタグ１から信号を受信する第２受信部２ｃ、２ｄと、エレベータ利用者がエレベータ乗り場に停留する時間を第２受信部２ｃ、２ｄの受信結果に基づいて測定する時計部１１と、エレベータ利用者がエレベータ乗り場から乗りかごへの乗り降りが許容されているか否かを判定する利用階床判定部１２と、時計部１１の測定結果と利用階床判定部１２の判定結果と第１受信部２ａ、２ｂの受信結果とに基づき、乗りかごをエレベータ乗り場に移動させる救出信号を生成する救出信号生成部１３と、を備える。【選択図】    図１
2007084179.tif 000002
【特許請求の範囲】
【請求項１】
乗りかご内のエレベータ利用者が携帯するＩＣタグからの信号を受信する第１受信部と、
エレベータ乗り場に居るエレベータ利用者が携帯するＩＣタグから信号を受信する第２受信部と、
エレベータ利用者が前記エレベータ乗り場に停留する時間を前記第２受信部の受信結果に基づいて測定する時計部と、
エレベータ利用者が前記エレベータ乗り場から前記乗りかごへの乗り降りが許容されているか否かを判定する利用階床判定部と、
前記時計部の測定結果と前記利用階床判定部の判定結果と前記第１受信部の受信結果とに基づき、前記乗りかごを前記エレベータ乗り場に移動させる救出信号を生成する救出信号生成部と、
を備えたことを特徴とするエレベータ制御装置。
【請求項２】
前記救出信号が生成された場合に、その旨を報知する報知部を更に備えたことを特徴とする請求項１記載のエレベータ制御装置。
【請求項３】
前記エレベータ乗り場に移動する前記乗りかごを、エレベータ利用者が乗車していない空かごを指定する手段を更に備えたことを特徴とする請求項１又は２記載のエレベータ制御装置。
【請求項４】
前記エレベータ乗り場に移動した後の前記乗りかごに対する乗り場呼びを無効にする手段を更に備えたことを特徴とする請求項３記載のエレベータ制御装置。
【請求項５】
前記エレベータ乗り場に移動した後の前記乗りかごを特定階床に強制移動させる手段を更に備えたことを特徴とする請求項４記載のエレベータ制御装置。
【請求項６】
請求項１ないし５のいずれか一記載のエレベータ制御装置を備えたことを特徴とするエレベータシステム。
【発明の詳細な説明】
【技術分野】
【０００１】
本発明は、エレベータ制御装置及びエレベータシステムに関し、特に、エレベータ利用者が乗りかごへの乗り降りを許容されている階床以外の階床で乗りかごから降車した場合に対応できるエレベータ制御装置及びこのエレベータ制御装置を備えるエレベータシステムに関する。
【背景技術】
【０００２】
例えば、下記特許文献１、２に記載されているように、ビルやマンションのセキュリティ性能向上、サービス性能向上の観点から、ビルやマンションの利用者にＩＣタグを携帯させるシステムが普及している。
【０００３】
このシステムがビルやマンションのエレベータの運行制御に適用されている場合は、エレベータ利用者が携帯するＩＣタグにはエレベータを運行させるために必要な運行情報（例えば、エレベータ利用者の氏名情報、エレベータ利用者が乗りかごへの乗り降りを許容されている階床情報）が記録され、この運行情報を含む信号がＩＣタグから発信され、ＩＣタグから発信された信号が受信部において受信される。ＩＣタグから発信された信号が受信部において受信されることにより、受信した信号に含まれる運行情報に基づいてエレベータが運行制御される。
【０００４】
受信部がＩＣタグから発信された信号を受信すると、その信号中に含まれる運行情報に基づいてエレベータ利用者が乗りかごへ乗り降りすることを許容されている階床が判定される。このため、乗りかごに乗車したエレベータ利用者が乗りかご内で行先階床を指定した場合、指定した階床が乗り降りすることを許容されている階床である場合には、乗りかごは指定された階床のエレベータ乗り場に移動する。一方、エレベータ利用者が指定した行先階床が乗り降りを許容されていない階床である場合には、乗りかごは指定された階床のエレベータ乗り場に移動しない。
【０００５】
エレベータ乗り場において乗り場呼びを行った場合も同じことが言える。エレベータ利用者が乗り降りを許容されている階床のエレベータ乗り場で乗り場呼びを行った場合には、その乗り場呼びに応じて乗りかごがエレベータ乗り場に移動する。一方、エレベータ利用者が乗り降りを許容されていない階床のエレベータ乗り場で乗り場呼びを行った場合には、乗りかごはエレベータ乗り場に移動しない。
【０００６】
このようにして、ＩＣタグから発信される信号内に含まれる運行情報に基づいてエレベータを運行制御することにより、不審者がエレベータを利用して各階床に出入りすることを阻止することができ、ビルやマンションのセキュリティ性能を向上させることができる。
【特許文献１】特開２００３−２４２２２９号公報
【特許文献２】特開平０９−４８５６５号公報
【発明の開示】
【発明が解決しようとする課題】
【０００７】
しかしながら、前述のＩＣタグを利用するシステムにおいては、以下の点について配慮がなされていない。
【０００８】
乗りかご内にエレベータ利用者が複数居る場合、乗りかごは各エレベータ利用者が降車しようとする階床に順次停止する。このため、エレベータ利用者の中には、自分が降車しようとする目的階床以外の階床で乗りかごが停止したとき、誤って乗りかごから降車することがある。
【０００９】
誤って降車した階床が、降車したエレベータ利用者にとって乗り降りを許容されていない階床である場合には、そのエレベータ利用者がエレベータ乗り場で乗り場呼びを行っても乗りかごはその階床には来ず、エレベータ利用者は降車した階床のエレベータ乗り場に取り残され、降車した階床から移動できない状態となる。
【００１０】
本発明は上記問題を解決するためになされたもので、その目的は、エレベータ利用者が乗り降りを許容されていない階床に誤って降車した場合、そのエレベータ利用者を降車した階床から救出することにある。
【課題を解決するための手段】
【００１１】
本発明は、エレベータ制御装置において、乗りかご内のエレベータ利用者が携帯するＩＣタグからの信号を受信する第１受信部と、エレベータ乗り場に居るエレベータ利用者が携帯するＩＣタグから信号を受信する第２受信部と、エレベータ利用者が前記エレベータ乗り場に停留する時間を第２受信部の受信結果に基づいて測定する時計部と、エレベータ利用者が前記エレベータ乗り場から前記乗りかごへの乗り降りが許容されているか否かを判定する利用階床判定部と、前記時計部の測定結果と前記利用階床判定部の判定結果と前記第１受信部の受信結果とに基づき、前記乗りかごを前記エレベータ乗り場に移動させる救出信号を生成する救出信号生成部と、を備えることにある。
【発明の効果】
【００１２】
本発明によれば、エレベータ利用者が乗りかごへの乗り降りを許容されていない階床に誤って降車した場合において、その階床に乗りかごを移動させてエレベータ利用者を救出することができる。
【発明を実施するための最良の形態】
【００１３】
以下、本発明の実施の形態を図面を用いて説明する。
【００１４】
（第１の実施の形態）
本発明の第１の実施の形態に係るエレベータ制御装置は、図１に示すように、各エレベータ利用者が携帯するＩＣタグ１からの信号を受信する複数のＩＣタグリーダ２ａ、２ｂ、２ｃ、２ｄと、ＩＣタグリーダ２ａ、２ｂ、２ｃ、２ｄが接続された救出制御部３と、救出制御部３に接続されたアラーム４及びディスプレイ５と、救出制御部３に接続された昇降制御部６とを備えている。さらに、このエレベータ制御装置には、これらのＩＣタグリーダ２ａ、２ｂ、２ｃ、２ｄ、救出制御部３、アラーム４、ディスプレイ５、昇降制御部６を総括的に制御するメイン制御部（図示せず）が設けられている。
【００１５】
ＩＣタグ１は、エレベータを運行させるために必要な運行情報（例えば、エレベータ利用者の氏名情報、エレベータ利用者が乗りかご７への乗り降りを許容されている階床情報）が記録されたＩＣチップ、ＩＣチップ内の運行情報を送信するアンテナを有している。ＩＣタグ１には、ＩＣチップ内の運行情報を送信するための電池を内蔵した方式のアクティブタグと、外部から送信された電波による電磁誘導を起こして送信に必要な電力を得る方式のパッシブタグとがあり、第１の実施の形態のＩＣタグ１としては、いずれの方式を採用することもできる。また、このＩＣタグ１には、エレベータを運行させるために必要な運行情報以外の様々な情報、例えば、銀行のクレジット情報等の個人情報が記録されていてもよい。
【００１６】
ＩＣタグリーダ２ａ、２ｂは乗りかご７（図２参照）内に設置されており、乗りかご７内に居るエレベータ利用者が携帯するＩＣタグ１からの信号を受信する第１受信部として機能する。ＩＣタグリーダ２ｃ、２ｄは各階床のエレベータ乗り場８（図２参照）に設置され、エレベータ乗り場８に居るエレベータ利用者が携帯するＩＣタグ１からの信号を受信する第２受信部として機能する。
【００１７】
本実施の形態に係るエレベータは、エレベータ利用者が行先階床として指定できる階床、エレベータ利用者が乗り場呼びを行える階床は、ＩＣタグリーダ２ａ、２ｂ、２ｃ、２ｄが受信するそのエレベータ利用者が携帯するＩＣタグ１からの信号により規制される。具体的には、乗りかご７内に乗車したエレベータ利用者が行先階床を指定した場合、ＩＣタグリーダ２ａ、２ｂが受信したＩＣタグ１からの信号に含まれている乗り降りを許容されている階床と、指定した行先階床とが一致した場合に、乗りかご７は指定した階床に移動する。また、エレベータ乗り場８で乗り場呼びを行った場合、ＩＣタグリーダ２ｃ、２ｄが受信したＩＣタグ１からの信号に含まれている乗り降りを許容されている階床と、乗り場呼びを行ったエレベータ乗り場８のある階床とが一致した場合に乗り場呼びが有効となり、乗りかご７が乗り場呼びを行った階床のエレベータ乗り場８に移動する。
【００１８】
このため、エレベータ利用者が乗り降りを許容されている階床以外の階床で乗りかご７から誤って降車した場合には、その階床のエレベータ乗り場８で乗り場呼びを行っても、その乗り場呼びは有効とならず、乗りかご７はその階床に移動しない。
【００１９】
救出制御部３は、第１記録部９と、第２記録部１０と、時計部１１と、利用階床判定部１２と、救出信号生成部１３とを備えている。
【００２０】
第１記録部９は、ＩＣタグリーダ２ａ、２ｂが受信したＩＣタグ１からの信号を、受信した時間のデータと共に乗車履歴として記録する。この乗車履歴の記録は、所定時間毎（例えば、数秒間隔毎）、又は、乗りかご７が各階床に停止する都度行われる。この第１記録部９の乗車履歴により、ＩＣタグ１を携帯した或るエレベータ利用者が、或る時間に乗りかご７に乗車していたことを確認することができる。
【００２１】
第２記録部１０は、ＩＣタグリーダ２ｃ、２ｄが受信したＩＣタグ１からの信号を、受信した時間のデータと共に記録する。この記録は、所定時間毎（例えば、数秒間隔毎）に行われる。この第２記録部に記録された内容により、ＩＣタグ１を携帯した或るエレベータ利用者が、或る時間に或る階床のエレベータ乗り場８に居たことを確認することができる。エレベータ利用者が或る階床のエレベータ乗り場８に居る停留時間が長くなると、そのエレベータ利用者が携帯するＩＣタグ１からの信号がＩＣタグリーダ２ｃ、２ｄにより繰り返し受信され、第２記録部１０に繰り返し記録される。
【００２２】
時計部１１は、エレベータ利用者がエレベータ乗り場８に居る停留時間を測定する。この停留時間の測定は、或るＩＣタグ１から信号が第２記録部１０に記録され、同じＩＣタグ１からの信号が第２記録部１０に記録されなくなるまでの時間を測定することにより行われる。エレベータ利用者がエレベータ乗り場８に居る停留時間が長くなるにつれ、時計部１１による測定時間が長くなる。
【００２３】
利用階床判定部１２は、ＩＣタグリーダ２ｃ、２ｄが受信したＩＣタグ１からの信号に基づき、そのＩＣタグ１を携帯したエレベータ利用者がそのＩＣタグリーダ２ｃ、２ｄが設置されている階床のエレベータ乗り場８から乗りかご７への乗り降りを許容されているか否かを判定する。この判定は、例えば、ＩＣタグ１から受信した信号に含まれる乗り降りを許容された階床と、そのＩＣタグ１を携帯したエレベータ利用者が居るエレベータ乗り場８がある階床とが一致するか否かにより行われる。一致する場合には乗り降りを許容されていると判定され、一致しない場合は乗り降りを許容されていないと判定される。
【００２４】
救出信号生成部１３は、まず、時計部１１の測定結果と、利用階床判定部１２の判定結果と、第１記録部９の記録結果とに基づき、エレベータ利用者が乗りかご７への乗り降りを許容されていない階床で誤って乗りかご７から降車したか否かを判定する。そして、エレベータ乗り場８に居るエレベータ利用者は、目的とする階床以外の階床で誤って乗りかご７から降車したものであると判定した場合には、その判定結果に基づき、エレベータ利用者が誤って降車した階床のエレベータ乗り場８に乗りかご７を移動させるための救出信号を生成する。
【００２５】
救出信号生成部１３における判定では、エレベータ利用者がエレベータ乗り場８に設定時間（例えば、１分）停留していることを時計部１１が測定し、かつ、そのエレベータ利用者はそのエレベータ乗り場８がある階床から乗りかご７への乗り降りを許容されていないことを利用階床判定部１２が判定し、かつ、そのエレベータ利用者が直前（時計部１１により測定が開始される直前）まで乗りかご７に乗っていたことが第１記録部９の乗車履歴から確認できた場合は、そのエレベータ利用者は目的とする階床以外の階床で誤って乗りかご７から降車したものと判定される。
【００２６】
生成された救出信号は、乗りかご７を昇降させる昇降制御部６に送信される。この救出信号が送信されることにより昇降制御部６による乗りかご７の昇降制御が行われ、誤って降車したエレベータ利用者の居る階床のエレベータ乗り場８に乗りかご７が移動される。
【００２７】
アラーム４とディスプレイ５とは、各階床のエレベータ乗り場８に設けられている。これらのアラーム４とディスプレイ５とは、救出信号が生成された場合にその旨を誤って降車したエレベータ利用者に報知する報知部として機能する。アラーム４からは報知音が発せられ、ディスプレイ５には「しばらくお待ち下さい。乗りかごがまいります。」等の表示が行われる。
【００２８】
なお、第１の実施の形態に係るエレベータ制御装置では、報知部としてのアラーム４とディスプレイ５とをエレベータ乗り場８に設けた場合を例に挙げて説明したが、報知部を更に管理人室等に追加してもよい。報知部を管理人室に設けることにより、乗りかご７への乗り降りを許容されていない階床で降車したエレベータ利用者の存在を管理人が確認することができる。
【００２９】
第１の実施の形態に係るエレベータ制御装置によるエレベータ利用者の救出は、救出制御部３による制御のもと、図３のフローチャートに示すように行われる。この図３に示すフローチャートでは、ＩＣタグ１を携帯したエレベータ利用者Ａが乗りかご７に乗車しており、エレベータ利用者Ａが階床Ｂで乗りかご７から降車した場合を想定して説明する。
【００３０】
まず、乗りかご７内に居るエレベータ利用者Ａが携帯するＩＣタグ１からの信号が、乗りかご７内のＩＣタグリーダ２ａ、２ｂにより受信される（Ｓ１）。ＩＣタグリーダ２ａ、２ｂにより受信されたＩＣタグ１からの信号は、受信した時間のデータと共に第１記録部９に記録される（Ｓ２）。
【００３１】
エレベータ利用者Ａが乗りかご７から階床Ｂで降りることにより、エレベータ利用者Ａが携帯するＩＣタグ１からの信号が、階床Ｂに設けられているＩＣタグリーダ２ｃ、２ｄにより受信される（Ｓ３）。階床ＢのＩＣタグリーダ２ｃ、２ｄにより受信されたＩＣタグ１からの信号は、受信した時間のデータと共に第２記録部１０に記録される（Ｓ４）。第２記録部１０への記録は、所定時間毎（例えば、数秒間隔毎）に行われる。このため、エレベータ利用者Ａがエレベータ乗り場８に居る停留時間が長くなると、エレベータ利用者Ａが携帯するＩＣタグ１からの信号がＩＣタグリーダ２ｃ、２ｄにより繰り返し受信され、受信された信号が第２記録部１０に次々と記録される。
【００３２】
第２記録部１０にＩＣタグ１からの信号が記録されると、エレベータ利用者Ａがエレベータ乗り場８に停留する時間の測定が時計部１１により行われる（Ｓ５）。この測定は、エレベータ利用者ＡのＩＣタグ１からの信号の記録が開始されてから同じＩＣタグ１からの信号の記録が行われなくなるまでの時間、つまり、エレベータ乗り場８に来たエレベータ利用者Ａがエレベータ乗り場８から離れるまでの時間を測定することにより行われる。
【００３３】
時計部１１による測定が開始された後、時計部１１の測定結果が設定時間（例えば、１分）に到達したか否かが判定される（Ｓ６）。
【００３４】
測定時間が設定時間に到達する場合（Ｓ６のＹＥＳ）の一例としては、エレベータ利用者Ａが目的とする階床でない階床Ｂで誤って降車したために、エレベータ利用者Ａは再び乗りかご７に乗ろうとしてエレベータ乗り場８に停留し、停留時間が設定時間に到達した場合を挙げることができる。なお、降車した階床Ｂが目的とする階床であっても、何らかの理由、例えば、エレベータ乗り場８で知人に出会った等の理由でエレベータ乗り場８に停留し、停留時間が設定時間に到達することもある。
【００３５】
一方、降車した階床Ｂが目的とする階床である場合には、降車したエレベータ利用者Ａは速やかにエレベータ乗り場８から離れるため、時計部１１による測定は設定時間に到達せず（Ｓ６のＮＯ）、救出信号の生成は不要であると判定することができ、救出のための制御が終了する。
【００３６】
時計部１１の測定結果が設定時間に到達した場合には（Ｓ６のＹＥＳ）、階床Ｂで降車したエレベータ利用者Ａが、階床Ｂのエレベータ乗り場８から乗りかご７に乗り降りすることを許容されているか否かが利用階床判定部１２において判定される（Ｓ７）。エレベータ利用者Ａが階床Ｂのエレベータ乗り場８から乗りかご７に乗り降りすることを許容されている場合は（Ｓ７のＹＥＳ）、救出信号の生成は不要であると判定することができ、救出のための制御が終了する。
【００３７】
エレベータ利用者Ａが階床Ｂのエレベータ乗り場８から乗りかご７に乗り降りすることを許容されていない場合（Ｓ７のＮＯ）の一例としては、エレベータ利用者Ａが目的とする階床でない階床Ｂで誤って降車した場合を挙げることができる。
【００３８】
エレベータ利用者Ａが階床Ｂのエレベータ乗り場８から乗りかご７に乗り降りすることを許容されていない場合は（Ｓ７のＮＯ）、エレベータ利用者Ａが乗りかご７から降車した直後であるか否かが判定される（Ｓ８）。エレベータ利用者Ａが乗りかご７から降車した直後であるか否かは、第１記録部９に記録されているエレベータ利用者Ａの乗車履歴を参照することにより行われる。エレベータ利用者Ａが乗りかご７から降車してから長時間が経過している場合（Ｓ８のＮＯ）の一例としては、エレベータ利用者Ａが階床Ｂで何らかの用事を済ませた後にエレベータ乗り場８に来た場合を挙げることができ、誤って階床Ｂで降車したのではなく救出信号の生成は不要であると判定することができ、救出のための制御が終了する。
【００３９】
ステップＳ６、Ｓ７、Ｓ８の判定により、時計部１１の測定結果が設定時間に到達したと判定され（Ｓ６のＹＥＳ）、エレベータ利用者Ａが階床Ｂのエレベータ乗り場８から乗りかご７に乗り降りすることを許容されていないと判定され（Ｓ７のＮＯ）、エレベータ利用者Ａは乗りかご７から降車した直後であると判定された場合（Ｓ８のＹＥＳ）には、エレベータ利用者Ａは乗りかご７への乗り降りを許容されていない階床Ｂに誤って降車したものと判定することができ、乗りかご７を階床Ｂのエレベータ乗り場８に移動させるための救出信号が救出信号生成部１３において生成される（Ｓ９）。さらに、救出信号生成部１３において、アラーム４を駆動させる第１報知信号とディスプレイ５を駆動させる第２報知信号とが生成される。（Ｓ１０）。
【００４０】
救出信号生成部１３において生成された第１報知信号がアラーム４のドライバに送信されるとともに第２報知信号がディスプレイ５のドライバに送信され、アラーム４とディスプレイ５とが駆動され（Ｓ１１）、救出のための乗りかご７が階床Ｂに移動することがエレベータ利用者Ａに報知される。アラーム４からは救出のための乗りかご７が階床Ｂに移動することを報知する音声が発せられ、ディスプレイ５には救出のための乗りかご７が階床Ｂに移動することを報知する表示（例えば、「しばらくお待ち下さい。乗りかごがまいります。」の表示）が行われる。
【００４１】
また、救出信号生成部１３において生成された救出信号は昇降制御部６に送信され、救出信号を受信した昇降制御部６により乗りかご７が昇降制御され、乗りかご７が階床Ｂに移動する（Ｓ１２）。
【００４２】
このような構成において、エレベータ利用者が目的とする階床以外の階床であって乗りかご７への乗り降りを許容されていない階床に誤って降車した場合には、そのエレベータ利用者は誤って降車した階床のエレベータ乗り場８からは乗り場呼びを行えない。
【００４３】
そこで、この第１の実施の形態に係るエレベータ制御装置においては、エレベータ乗り場８に居るエレベータ利用者が、乗りかご７への乗り降りを許容されていない階床に誤って降車したのか否かを判定し、誤って降車したと判定された場合には救出信号生成部１３において救出信号が生成される。生成された救出信号は昇降制御部６に送信され、救出信号が昇降制御部６に送信されることにより乗りかご７が昇降駆動され、エレベータ利用者が誤って降車した階床に乗りかご７が移動する。乗り降りを許容されていない階床で誤って降車したエレベータ利用者は、救出のために移動した乗りかご７に乗り込むことができ、誤って降車したエレベータ利用者をその階床から救出することができる。
【００４４】
したがって、エレベータ利用者が目的とする階床以外の階床であって乗りかご７への乗り降りを許容されていない階床で誤って降車した場合において、そのエレベータ利用者を誤って降車した階床から救出することができ、エレベータ利用者が誤って降車した階床に取り残されるという事態を防止することができる。
【００４５】
（第２の実施の形態）
本発明の第２の実施の形態に係るエレベータ制御装置の基本的構成は、第１の実施の形態に係るエレベータ制御装置と同じである。第２の実施の形態のエレベータ制御装置が第１の実施の形態のエレベータ制御装置と異なる点は、救出信号生成部１３で生成される信号の種類である。
【００４６】
図４のフローチャートに示すように、ステップＳ６、Ｓ７、Ｓ８の判定結果に基づいて救出信号生成部１３において救出信号が生成される（Ｓ９）。さらに、この救出信号の生成に加え、救出信号生成部１３において、救出のために階床Ｂのエレベータ乗り場８に移動する乗りかご７として、エレベータ利用者が乗車していない空かごを指定する信号が生成される（Ｓ９−１）。そして、ここに、救出のために階床Ｂのエレベータ乗り場８に移動する乗りかご７として空かごを指定する手段が実行される。
【００４７】
さらに、救出信号生成部１３において、救出のため階床Ｂのエレベータ乗り場８に移動した後の乗りかご７に対する乗り場呼びを無効にする乗り場呼び無効信号が生成される（Ｓ９−２）。そして、ここに、救出のために階床Ｂのエレベータ乗り場８に移動した後に乗りかご７に対する呼び登録を無効にする手段が実行される。
【００４８】
さらに、救出信号生成部１３において、救出のために階床Ｂのエレベータ乗り場８に移動した後の乗りかご７を、特定階床（例えば、管理人室のある階床、出入り口のある階床）に強制移動させる強制移動信号が生成される（Ｓ９−３）。そして、ここに、救出のために階床Ｂに移動した後の乗りかご７を特定階床に強制移動させる手段が実行される。
【００４９】
本発明においては、ステップＳ６、Ｓ７、Ｓ８の判定によりエレベータ利用者Ａを救出することができるが、エレベータ利用者Ａが不審者である可能性もある。この第２の実施の形態は、救出対象となったエレベータ利用者Ａが不審者である場合を想定したものであり、不審者であるエレベータ利用者Ａと他のエレベータ利用者とが救出用の乗りかご７内で乗り合わせないようにしている。
【００５０】
具体的には、エレベータ利用者Ａを救出するために階床Ｂに移動させる乗りかご７を、エレベータ利用者が乗車していない空かごとしている。これにより、或るエレベータ利用者が乗車している乗りかご７が階床Ｂのエレベータ乗り場８に移動し、その乗りかご７内に不審者であるかもしれないエレベータ利用者Ａが乗り込むという事態を防止することができる。
【００５１】
さらに、エレベータ利用者Ａを救出するために階床Ｂに移動した後の乗りかご７に対する乗り場呼びを無効としている。このため、不審者であるかもしれないエレベータ利用者Ａが乗っている乗りかご７が特定階床に向けて移動している途中で或る階床のエレベータ乗り場８に停止し、停止した乗りかご７内にエレベータ利用者が乗り込むという事態を防止することができる。
【００５２】
さらに、エレベータ利用者Ａを救出した乗りかご７を、エレベータ利用者Ａの意思とは関係なく特定階床に移動させることにより、不審者であるかもしれないエレベータ利用者Ａの行動を規制することができる。
【図面の簡単な説明】
【００５３】
【図１】本発明の第１の実施の形態に係るエレベータ制御装置の概略を示すブロック図である。
【図２】図１に示すエレベータ制御装置におけるエレベータ乗り場の外観図である。
【図３】図１に示すエレベータ制御装置におけるエレベータ利用者の救出の制御について説明するフローチャートである。
【図４】本発明の第２の実施の形態に係るエレベータ制御装置におけるエレベータ利用者の救出の制御について説明するフローチャートである。
【符号の説明】
【００５４】
１      ＩＣタグ
２ａ、２ｂ  第１受信部
２ｃ、２ｄ  第２受信部
４      報知部
５      報知部
７      乗りかご
８      エレベータ乗り場
１１      時計部
１２      利用階床判定部
１３      救出信号生成部
【図１】
2007084179.tif 000003
【図２】
2007084179.tif 000004
【図３】
2007084179.tif 000005
【図４】
2007084179.tif 000006